【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
顔マスク着用者へのおよび着用者からの１つまたは複数のヒト病原体の伝染を低減するのに使用される顔マスクであって、
ａ）前面と、裏面と、前面および裏面の周囲とを備え、顔マスクの着用者の口および鼻を覆う面体と、
ｂ）顔マスクを着用者の頭部に固定するために面体に取り付けられた１つまたは複数の延長部と
を備え、
面体が、ヒト病原体を結合物質に化学的に付着させるための１つまたは複数のヒト病原体結合基を含む１つまたは複数の結合物質を含む織物を備え、
ヒト病原体結合基が、硫酸基およびスルホン酸基からなる群から選択される、
顔マスク。
【請求項２】
顔マスク着用者へのおよび着用者からの１つまたは複数のヒト病原体の伝染を低減するのに使用される顔マスクであって、
ａ）前面と、裏面と、前面および裏面の周囲とを備え、顔マスクの着用者の口および鼻を覆う面体と、
ｂ）顔マスクを着用者の頭部に固定するために面体に取り付けられた１つまたは複数の延長部と
を備え、
面体が３つ以上の層を有する材料を含み、
３つ以上の層のうちの１つまたは複数が、１つまたは複数の結合物質を含む織物を備え、
１つまたは複数の結合物質が、ヒト病原体を結合物質に化学的に付着させるための１つまたは複数のヒト病原体結合基を含み、
ヒト病原体結合基が、硫酸基およびスルホン酸基からなる群から選択され
織物が、１つまたは複数の種類の多価の金属イオンまたは金属塩をさらに含み、
３つ以上の層のうちの１つまたは複数が、熱成形型織物を含む、
顔マスク。
【請求項３】
面体がほぼ半円の下側半分を備え、かつ横方向の頬延長部、および２つの頬延長部の間で着用者の鼻孔上方と鼻柱上とに延びる中央鼻柱延長部を有する上側半分を備える、請求項１または２に記載の顔マスク。
【請求項４】
結合物質が、ＣＩ反応性青４、ＣＩ反応性青２１、ＣＩ反応性青１４０、ＣＩ反応性青１６３、ＣＩ反応性茶２３、ＣＩ反応性橙４、ＣＩ反応性赤１、ＣＩ反応性赤２、ＣＩ反応性赤６、ＣＩ反応性赤１１、ＣＩ反応性赤７８、ＣＩ反応性黄３９、およびＣＩ反応性黄８６からなる群より選択される１以上の反応染料である、請求項１ないし３のいずれか一項に記載の顔マスク。
【請求項５】
織物が、多価の銅、多価の銀および多価の亜鉛からなる群より選択される１つまたは複数の種類の多価の金属イオンを含む、請求項１ないし４のいずれか一項に記載の顔マスク。
【請求項６】
織物が、酢酸銅、酸化銅、硫酸銅および酢酸亜鉛からなる群より選択される１つまたは複数の金属塩を含む、請求項１ないし５のいずれか一項に記載の顔マスク。
【請求項７】
１つまたは複数のヒト病原体が、ヒト疾患を引き起こす細菌、真菌およびウイルスからなる群より選択される、請求項６に記載の顔マスク。
【請求項８】
ヒト病原体が、ヒト気道感染症を引き起こす１つまたは複数のウイルスである、請求項６に記載の顔マスク。
【請求項９】
１つまたは複数のヒト病原体が、アデノ随伴ウイルス（ＡＡＶ）、単純ヘルペスウイルス（ＨＳＶ）、ヒトパピローマウイルス（ＨＰＶ）、インフルエンザウイルス、狂犬病ウイルスおよび呼吸器合胞体ウイルス（ＲＳＶ）からなる群より選択される、請求項６に記載の顔マスク。
【請求項１０】
面体が複数の層を有する材料を含み、複数の層のうちの１つまたは複数が、１つまたは複数の結合物質を含む織物を備える、請求項６に記載の顔マスク。
【請求項１１】
複数の層のうちの１つまたは複数が熱成形型織物を備える、請求項１０に記載の顔マスク。
【請求項１２】
複数の層のうちの１つまたは複数が、ポリプロピレン、ポリエステルまたは酢酸セルロース不織布からなる群より選択される織物を備える、請求項１０に記載の顔マスク。
【請求項１３】
複数の層のうちの１つまたは複数が、ポリプロピレンウェビングを含む、請求項１０に記載の顔マスク。
【請求項１４】
複数の層が３つの層からなる、請求項１０に記載の顔マスク。
【請求項１５】
複数の層が４つの層からなる、請求項１０に記載の顔マスク。
【請求項１６】
１つまたは複数のヒト病原体の伝染を低減するのに使用される装置であって、１つまたは複数の結合物質を含む織物を備え、結合物質がヒト病原体を化学的に付着させるための１つまたは複数のヒト病原体結合基を含み、
当該装置は、空気フィルタ、衣服、寝具、化粧パッド、顔マスクまたは呼吸装置用のカバリング、おしめ、乾燥消毒パッチ、生理用ナプキン、便座カバー、掛け布、拭き取り布および窓おおいからなる群より選択され、
結合物質が、硫酸基およびスルホン酸基からなる群から選択されるヒト病原体結合基を含み、
織物が、１つまたは複数の種類の多価の金属イオンまたは金属塩をさらに含む、
装置。
【請求項１７】
結合物質が、ＣＩ反応性青４、ＣＩ反応性青２１、ＣＩ反応性青１４０、ＣＩ反応性青１６３、ＣＩ反応性茶２３、ＣＩ反応性橙４、ＣＩ反応性赤１、ＣＩ反応性赤２、ＣＩ反応性赤６、ＣＩ反応性赤１１、ＣＩ反応性赤７８、ＣＩ反応性黄３９、およびＣＩ反応性黄８６からなる群より選択される１以上の反応染料である、請求項１６に記載の装置。
【請求項１８】
１つまたは複数の種類の多価の金属イオンが、多価の銅、多価の銀および多価の亜鉛からなる群より選択される、請求項１６に記載の装置。
【請求項１９】
１つまたは複数の金属塩が、酢酸銅、酸化銅、硫酸銅および酢酸亜鉛からなる群より選択される、請求項１６に記載の装置。
【請求項２０】
複数の層を有する材料をさらに備え、複数の層のうちの１つまたは複数が、１つまたは複数の結合物質を含む、請求項１６に記載の装置。
【請求項２１】
複数の層のうちの１つまたは複数が熱成形型織物を備える、請求項２０に記載の装置。
【請求項２２】
複数の層のうちの１つまたは複数が、ポリプロピレン、ポリエステルまたは酢酸セルロース不織布からなる群より選択される織物を備える、請求項２０に記載の装置。
【請求項２３】
複数の層のうちの１つまたは複数がポリプロピレンウェビングを含む、請求項２０に記載の装置。
【請求項２４】
複数の層が３つの層からなる、請求項２０に記載の装置。
【請求項２５】
複数の層が４つの層からなる、請求項２０に記載の装置。
【請求項２６】
１つまたは複数のヒト病原体の伝染を低減するのに使用される材料であって、複数の層を含み、
複数の層のうちの１つまたは複数が、１つまたは複数の結合物質を含む織物を備え、
結合物質が、硫酸基およびスルホン酸基からなる群から選択されるヒト病原体結合基を含み、
織物が、１つまたは複数の種類の多価の金属イオンまたは金属塩をさらに含む、
材料。
【請求項２７】
結合物質が、ＣＩ反応性青４、ＣＩ反応性青２１、ＣＩ反応性青１４０、ＣＩ反応性青１６３、ＣＩ反応性茶２３、ＣＩ反応性橙４、ＣＩ反応性赤１、ＣＩ反応性赤２、ＣＩ反応性赤６、ＣＩ反応性赤１１、ＣＩ反応性赤７８、ＣＩ反応性黄３９、およびＣＩ反応性黄８６からなる群より選択される１以上の反応染料である、請求項２６に記載の材料。
【請求項２８】
１つまたは複数の種類の多価の金属イオンが、多価の銅、多価の銀および多価の亜鉛からなる群より選択される、請求項２６に記載の材料。
【請求項２９】
１つまたは複数の金属塩が、酢酸銅、酸化銅、硫酸銅および酢酸亜鉛からなる群より選択される、請求項２６に記載の材料。
【請求項３０】
複数の層のうちの１つまたは複数が熱成形型織物を含む、請求項２６に記載の材料。
【請求項３１】
複数の層のうちの１つまたは複数が、ポリプロピレン、ポリエステルまたは酢酸セルロース不織布からなる群より選択される織物を備える、請求項２６に記載の材料。
【請求項３２】
複数の層のうちの１つまたは複数がポリプロピレンウェビングを含む、請求項２６に記載の材料。
【請求項３３】
複数の層が３つの層からなる、請求項２６に記載の材料。
【請求項３４】
複数の層が４つの層からなる、請求項２６に記載の材料。